(57)【特許請求の範囲】
【請求項１】
陳列棚上に該陳列棚の前後方向に延在して載置固定され、商品が陳列棚の前後方向に整列して案内される商品陳列具本体部と、前記本体部に該本体部の長手方向に移動可能に設けられ、前記本体部に案内される整列商品の後方から押圧して該整列商品を本体部の前端方向へ移動させる商品押圧手段を備える商品陳列具であって、前記商品押圧手段は、前記本体部に移動可能に取り付けられた基部と該基部から斜め後方に向け延在する正面部が長方形の平板状の主押圧部材から成る主押圧手段と、前記主押圧部材に上方から抜き差しにより着脱自在で、且つ横方向に伸縮自在に取り付ける補助押圧手段とを設けたものであって、
前記商品陳列具本体部が、陳列棚の上面に対して直角に配置される所望高さの商品仕切板であって、前記商品仕切板の下方に前記商品押圧手段を商品仕切板の長手方向に移動可能に支持するロッド状の支持手段と、
前記商品仕切板の前記商品押圧手段と対向する側面に該商品仕切板の長手方向に沿って形成され、かつ商品仕切板の前端から後端に至る案内溝と、
前記案内溝に前記商品仕切板の前端から摺動可能に係合され、かつ該案内溝と略々同一の長さを有するとともに前記商品押圧手段の背面を後押しする係合部材を有する商品引き出し部材と、を備え、
前記補助押圧手段は、前記主押圧部材に着脱自在に取り付けられる正面部が平板状の補助主押圧部材と、該補助主押圧部材に横方向に摺動自在に嵌められる副押圧部材とから形成され、
前記商品との押圧面積を増減させるか又は前記商品からの負荷を増減させる態様が、前記補助押圧手段を取り付け無い第１の形態、前記補助押圧手段を前記主押圧部材に取り付けて前記副押圧部材を前記補助主押圧部材に収納した第２の形態、前記補助押圧手段を前記主押圧部材に取り付けて前記副押圧部材を前記補助主押圧部材から引き出した第３の形態の３形態であり、
更に、前記商品押圧手段の背面を後押しする係合部材と前記商品押圧手段の間に位置して、前記支持手段に商品仕切板の長手方向に移動自在に支持される在庫調整具を備えることを特徴とする商品陳列具。
【発明の詳細な説明】
【０００１】
【発明の属する技術分野】
本発明は、商品を前後方向に整列して陳列する商品陳列棚において、陳列された商品が前方から抜き取られるのに応じて、後方の商品を前方に移動させる商品陳列具に関し、特に整列された商品を後方から押圧する商品押圧体の商品に対する押圧面積を変更できるようにした商品陳列具に関するものである。
【０００２】
【従来の技術】
従来、商品を前後方向に整列して陳列する商品陳列棚において、陳列された商品が前方から抜き取られるのに応じて、後方の商品を前方に移動させる商品陳列具としては、実開平１−１３３４４９号公報に開示するものが知られている。
この種の商品陳列具は、陳列棚板上にその前後方向に沿って載置固定される陳列台を備え、この陳列台には、該陳列台の上面から略鉛直に伸びる商品押圧体を陳列台の長手方向に移動可能に設け、さらに、商品押圧体の基部と陳列台の先端間にはコイルスプリングを掛け渡し、このコイルスプリングで商品押圧体を陳列台の先端方向へ移動できるように付勢することにより、陳列台上の最前端の商品を抜き取るごとに、残りの整列商品を前方へ自動的に移動できるようになっている。
【０００３】
【発明が解決しようとする課題】
ところで、上記のような従来の商品陳列具に使用される商品押圧体の形状及び大きは、陳列台上に整列される商品の種類及び大きさに適合する固定の形に形成されているのが普通である。このため、例えば、缶やビン等の商品用に形成された商品押圧体を備える商品陳列具をスナック菓子等の袋物商品のような横寸法の大きい商品の陳列に使用した場合、袋物商品に対する商品押圧体の押圧面積が小さくなるため、この商品押圧体で陳列台上に整列された袋物商品を後方から押圧すると、商品押圧体に接する商品に局部的な荷重が作用し、その結果、袋物商品の内容物がスナック菓子等のような場合には、その内容物が破損されるおそれがある。また、上記のような従来の固定された押圧面積の商品押圧体を使用する商品陳列具では、商品陳列具に陳列し得る商品の種類が限定されてしまい、商品に適合する各種の商品押圧体を備えた商品陳列具を多数用意しておく必要があるとともに、その分、商品の陳列コストが上昇し、商品陳列具の保管管理も面倒になるという問題があった。
【０００４】
従って、本発明の目的は、商品を後方から押圧する商品押圧体の押圧面積を陳列される商品の形状や大きさに応じて種々の態様に変更できる商品陳列具を提供することにある。
【０００５】
【課題を解決するための手段】
上記目的を達成するために本発明の請求項１に記載の商品陳列具は、陳列棚上に該陳列棚の前後方向に延在して載置固定され、商品が陳列棚の前後方向に整列して案内される商品陳列具本体部と、前記本体部に該本体部の長手方向に移動可能に設けられ、前記本体部に案内される整列商品の後方から押圧して該整列商品を本体部の前端方向へ移動させる商品押圧手段を備える商品陳列具であって、前記商品押圧手段は、前記本体部に移動可能に取り付けられた基部と該基部から斜め後方に向け延在する正面部が長方形の平板状の主押圧部材から成る主押圧手段と、前記主押圧部材に上方から抜き差しにより着脱自在で、且つ横方向に伸縮自在に取り付ける補助押圧手段とを設けたものであって、前記商品陳列具本体部が、陳列棚の上面に対して直角に配置される所望高さの商品仕切板であって、前記商品仕切板の下方に前記商品押圧手段を商品仕切板の長手方向に移動可能に支持するロッド状の支持手段と、前記商品仕切板の前記商品押圧手段と対向する側面に該商品仕切板の長手方向に沿って形成され、かつ商品仕切板の前端から後端に至る案内溝と、前記案内溝に前記商品仕切板の前端から摺動可能に係合され、かつ該案内溝と略々同一の長さを有するとともに前記商品押圧手段の背面を後押しする係合部材を有する商品引き出し部材と、を備え、前記補助押圧手段は、前記主押圧部材に着脱自在に取り付けられる正面部が平板状の補助主押圧部材と、該補助主押圧部材に横方向に摺動自在に嵌められる副押圧部材とから形成され、前記商品との押圧面積を増減させるか又は前記商品からの負荷を増減させる態様が、前記補助押圧手段を取り付け無い第１の形態、前記補助押圧手段を前記主押圧部材に取り付けて前記副押圧部材を前記補助主押圧部材に収納した第２の形態、前記補助押圧手段を前記主押圧部材に取り付けて前記副押圧部材を前記補助主押圧部材から引き出した第３の形態の３形態であり、更に、前記商品押圧手段の背面を後押しする係合部材と前記商品押圧手段の間に位置して、前記支持手段に商品仕切板の長手方向に移動自在に支持される在庫調整具を備えることを特徴とする商品陳列具。前記商品押圧手段の背面を後押しする係合部材と前記商品押圧手段の間に位置して、前記支持手段に商品仕切板の長手方向に移動自在に支持される在庫調整具と、を備えることを特徴とする。
【０００７】
本発明においては、補助押圧手段により商品に対する商品押圧体の押圧面積を増減できるから、商品の形状や大きさに合わせて商品に対する商品押圧体の押圧面積を最適に設定できる。また、本発明においては、商品仕切板の側面に形成した案内溝に商品引き出し部材を商品仕切板の前端から摺動可能に係合し、この商品引き出し部材を手前に引き出すことにより商品押圧体を含む整列商品を棚板の前端側に移動させることができから、商品前出し機構を含む商品仕切板の薄型化が可能なる。また、本発明においては、在庫調整具を所望の位置にセットすれば、商品陳列具に陳列できる商品の数を簡単に調節でき在庫管理が容易である。
【０００８】
【発明の実施の形態】
本発明の実施の形態について、図１〜図１７を参照して説明する。図１は本発明の実施の形態における商品陳列具の補助押圧手段を主押圧部材に嵌める状態を示す斜視図、図２は図１で補助押圧手段が主押圧部材にほとんど嵌め込まれた状態を示す斜視図、図３は本発明の実施の形態における商品陳列具の斜視図、図４は図１のＡ−Ａ線に沿った図、図５は図１の斜め後方から見た主に商品押圧手段の斜視図、図６は図５の他の形態の斜視図、図７は図６で補助押圧手段が主押圧部材に嵌め込まれた状態を示す斜視図、図８は主押圧部材の裏面図、図９は主押圧部材の一部が断面の右側面図、図１０は補助主押圧部材の裏面図、図１１は図１２のＢ−Ｂ線に沿った図、図１２は副押圧部材の裏面図、図１３は副押圧部材の右側面図、図１４は在庫調整具の斜視図、図１５は在庫調整具の背面図、図１６は在庫調整具の平面図、図１７は商品陳列棚に設置された本発明の実施の形態における商品陳列具の斜視図を各々示す。
【０００９】
図１において、商品陳列具１は、金属製棚板１０上の前後方向に一列に整列して陳列される商品を整列商品ごとに区画する合成樹脂製の陳列具本体部である商品仕切板２０と、商品仕切板２０を棚板１０上に安定して固定する固定手段３０と、補助押圧手段７１が着脱自在に嵌合される整列商品を後方から押圧する商品押圧体４０と、商品押圧体４０を商品仕切板２０にその長手方向に移動可能に支持する支持手段５０と、合成樹脂材からなる商品引き出し部材６０と、在庫調整具７００を備える。
【００１０】
上記商品押圧体４０は、図１〜図１３に示すように、棚板１０の上面と摺接する基部４０１と、この基部４０１から斜め上方に傾斜して設けた長方形状の主押圧部材４０２とからなる主押圧手段４と、商品に対する主押圧部材４０２の押圧面積を商品の大きさに応じて変化させる補助押圧手段７１を備える。
【００１１】
図１、図８及び図９に示すように、基部４０１の商品仕切板側には、下方にガイドロッド５０１に係合するガイドロッド係合溝４０６と、上方に商品仕切板２０の下方部材に係合する商品仕切板係合部４０７を備える。主押圧部材４０２の裏面には形状が略三角形の４本の安定化リブ４０４が形成されている。
【００１２】
補助押圧手段７１は、主押圧部材４０２の上方から抜き差しにより着脱自在に取り付けられる補助主押圧部材７３と、補助主押圧部材７３に横方向に摺動自在に嵌められる副押圧部材７２とから形成される。補助主押圧部材７３は図１０及び図１１に示すように、略矩形状で正面部７３１は平板状であり、裏面部の片側（商品仕切板２０側）の上方両側には、補助主押圧部材７３と抜き差し可能な溝部７３２、７３２を備え、裏面部の他の片側には形状が略三角形の２本の安定化リブ７３３、７３３を備え、これら溝部７３２と安定化リブ７３３により、補助主押圧部材７３の上方縁と下方縁には、副押圧部材７２の係合溝７２１に係合する鍔部７３４、７３４が形成される。また、安定化リブ７３３側の上方リブ及び下方リブの途中に鍔部７３４に係合する副押圧部材７２の突出を防止する段差突起７３６、７３６がそれぞれ形成されている。また、裏面部の片側（商品仕切板２０側）の下方縁部には、ガイドロッド５０１に係合する切り欠き７３７を有し、主押圧部材４０２に嵌め込まれた後の抜け止めになっている。かかる構造の補助主押圧部材７３は主押圧部材４０２の上方から主押圧部材４０２に抜き差し可能に係合され、カバーケース状に嵌め込まれる副押圧部材７２を横方向に摺動自在に係合する。
【００１３】
副押圧部材７２は図１２及び図１３に示すように、略矩形状で正面部は平板状であり、裏面の上方縁部及び下方不縁部には補助主押圧部材７３の鍔部７３４、７３４が係合する溝７２１、７２１が形成され、外側端の縁部は安定化リブ７２５が形成されている。また、溝７２１、７２１を形成する外側部材の一部には補助主押圧部材７３の段差突起７３６、７３６と係合する段差突起７２２、７２２が形成され、裏面部の片側（商品仕切板２０側）の下方縁部には、ガイドロッド５０１に係合する切り欠き７２３を有し、補助主押圧部材７３に嵌め込まれた際のガイドロッド５０１の逃げ部を形成する。かかる構造の副押圧部材７２は補助主押圧部材７３の横方向外側に摺動可能に係合され、商品との押圧面積は無段階で調節可能である。
【００１４】
以上の如く構成された商品押圧体４０は、商品との押圧面積を増減させるか又は前記商品からの負荷を増減させる態様が、図１〜図７に示すように、補助押圧手段７１を取り付け無い第１の形態、補助押圧手段７１を主押圧部材４０２に取り付けて副押圧部材７２を補助主押圧部材７３に収納した第２の形態、補助押圧手段７１を主押圧部材４０２に取り付けて副押圧部材７２を補助主押圧部材７３から引き出した第３の形態の３形態である。第１の形態では補助押圧手段７１を使用しないため、主押圧部材４０２が商品を当接して前出しが行われる。
【００１５】
第２の形態では、補助押圧手段７１は副押圧部材７２を補助主押圧部材７３から引き出した状態（図５）で主押圧部材４０２に取り付ける方法及び副押圧部材７２を補助主押圧部材７３に収納した状態（図６）で主押圧部材４０２に取り付ける方法がある。図５で示される前者の方法は補助主押圧部材７３を主押圧部材４０２に取り付けた後、副押圧部材７２を補助主押圧部材７３に収納させた状態で、図６で示される後者の方法は補助主押圧部材７３を主押圧部材４０２に取り付けた状態でそれぞれ使用される（図７）。この第２の形態によれば、第１の形態に比べて、商品押圧体４０と商品との押圧面積又は商品からの負荷が増加するため、やや大きめサイズの商品の陳列及び前出しに適する。
【００１６】
第３の形態では、第２の形態で示される状態から、副押圧部材７２が補助主押圧部材７３から引き出される。また、補助主押圧部材７３から副押圧部材７２の引き出しは、少し開いた状態から補助主押圧部材７３の段差突起７３６と副押圧部材７２の段差突起７２２が当接する全開状態まで、無段階の調節が可能である。この第３の形態によれば、第２の形態に比べて、商品押圧体４０の商品押圧面積は、見かけ上、横に１倍を越えて約２倍にまで増える。このため、第２の形態に比べて、商品押圧体４０と商品との押圧面積又は商品からの負荷が増加するため、大きめサイズの商品の陳列及び前出しに適する。
【００１７】
前述の商品押圧体４０が長手方向に移動可能に取り付けられる商品陳列具としては、陳列棚上に該陳列棚の前後方向に延在して載置固定され、商品が陳列棚の前後方向に整列して載置又は案内される商品陳列具本体部を有するものであれば、特に制限されず、その一例が図１である。
【００１８】
商品仕切板２０は、図１に示すように、棚板１０の前後方向に延在する長さと整列商品の高さに応じた所望の高さを有している。また、この商品仕切板２０の前端と後端には、商品仕切板２０を棚板１０上に直角に載置するための支持ブロック２０１及び２０２がそれぞれ固着され、支持ブロック２０１は商品の前方への転び防止を兼ねている。
【００１９】
商品仕切板２０の固定手段３０は、図１に示すように、棚板１０の前端に該棚板１０の左右方向のほぼ全長に亘り配設され、商品仕切板２０の前端を棚板１０に固定する結合手段３０１と、商品仕切板２０の前端に設けた支持ブロック２０１の下端に形成された係合部３０２と、商品仕切板２０の後端を棚板１０に吸着して商品仕切板２０を棚板１０に固定する図では省略するマグネットを備えている。上記結合手段３０１は、図１に示すように、棚板１０の前端部に棚板１０の長手方向に沿い形成された長溝である。
【００２０】
商品押圧体４０の支持手段５０は、図１に示すように、商品仕切板２０の支持ブロック２０１と２０２間に差し渡し状態に設けた補強兼用のガイドロッド５０１を備え、このガイドロッド５０１に商品押圧手段４０の基台４０１に設けた係合部４０５を摺動可能に係合することにより、商品押圧体４０を商品仕切板２０の長手方向に移動可能に支持できる構成になっている。
【００２１】
商品引き出し部材６０は、図１に示すように、商品仕切板２０の商品押圧手段４０と対向する側面に商品仕切板２０の長手方向に沿って形成された、商品仕切板２０の前端から後端に至る案内溝２０５に商品仕切板２０の前端から摺動可能に係合され、そして、案内溝２０５と略々同一の長さを有するとともに商品押圧手段４０の背面を後押しする係合部材６０１を有している。また、商品引き出し部材６０の前端には商品引き出し部材６０の引き出し及び戻し操作をする時の把持性を確実にする引っ掛け穴６０２が形成されている。さらに、商品引き出し部材６０の後端と支持ブロック２０２間には、商品引き出し部材６０を常時後方へ付勢するコイルばね（付勢手段）７０が張設されている。
【００２２】
在庫調整具７００は、図１４〜図１６に示すように、商品押圧手段当接面部７０１と、この接面部７０１と直角に連接する移動方向案内部７０２とからなり、略Ｌ字状物である。移動方向案内部７０２は下方にガイドロッド５０１に嵌合する嵌合溝７０３と、上方に商品仕切板本体に連接する板状物５０６に嵌合する嵌合溝７０４を備える。また、商品前出しにおいて、係合部材６０１が前方又は後方に移動する際、在庫調整具７００に接触することなく所謂空振りして通過する必要があり、従って、商品押圧手段当接面部７０１の高さ寸法は、ガイドロッド５０１に嵌合した状態で、係合部材６０１の下方空間の高さ寸法未満とする。また、在庫調整具７００のガイドロッド５０１への嵌め合い強さは手動で移動可能のやや強め傾向とすることが商品の陳列の際、セッティング位置が移動することがないため好ましい。
【００２３】
在庫調整具７００の使用方法は次の通りである。すなわち、例えば、８個の商品を陳列する場合、在庫調整具７００は商品押圧手段４０が商品８個を前出しする状態で、商品押圧手段４０のお尻に当接する位置にセットされる。次に、商品が前から取り出されて商品の前出しをする際、係合部材６０１は前方又は後方に移動する場合でも在庫調整具７００に接触することなく空振りして移動され、在庫調整具７００のセッティング位置は変化しない。再度の商品の補充は商品の数を気にすること無く、商品押圧手段４０が在庫調整具７００の当接する位置まで行われる。これにより、商品陳列具には補充状態で常に８個の商品が陳列できることとなる。
【００２４】
上記のように構成された商品陳列具１を棚板１０上の希望の箇所にセットする場合は、商品仕切板２０の支持ブロック２０１に設けた係合部３０２を長溝３０１に係合する。この状態で、商品陳列具１全体を長溝３０１に沿い棚板１０上の配置したい位置に移動し、後端の支持ブロック２０２を棚板１０上に載置する。これにより、支持ブロック２０２をマグネットにより棚板１０に吸着させて、商品陳列具１を棚板１０上の希望の箇所に安定して固定する。
【００２５】
上記のようにして、商品陳列具１を陳列される商品の幅寸法に応じて棚板１０上に所定の間隔で棚板１０の左右方向にセットし（図１７）、このセットされた隣接する商品陳列具１間の棚板１０に商品を一列に並べて載置する。このようにして陳列された棚板１０上の整列商品を最前端の商品から順に抜き取る。そして、商品の抜き取りにより棚板１０の前端部に隙間が生じた場合は、商品引き出し部材６０の引っ掛け穴６０２を指により把持し、商品引き出し部材６０をコイルばね７０に抗して手前に引き出す。これにより、商品押圧体４０を含む整列商品は棚板１０の前端側に移動し、整列商品の最先端の商品が転び防止兼用の支持ブロック２０１に突き当たる状態にする。また、整列商品が支持ブロック２０３に突き当たる状態まで移動されたならば商品引き出し部材６０の引っ掛け穴６０２から指を離すことにより、商品引き出し部材６０は自動的に最後端まで戻される。これにより、商品押圧体４０は最後尾の商品を当接する位置で置き去りにされ陳列姿勢をとる。また、商品引き出し部材６０は収納状態となり見栄えがよい。
【００２６】
従って、本実施の形態によれば、商品仕切板２０の側面に形成した案内溝２０５に商品引き出し部材６０を商品仕切板２０の前端から摺動可能に係合し、この商品引き出し部材６０を手前に引き出すことにより商品押圧体４０を含む整列商品を棚板１０の前端側に移動させることができから、商品前出し機構を含む商品仕切板２０の薄型化できる。また、商品前出し機構を含む商品仕切板２０の薄型化に伴い、棚板１０上に商品を陳列できない無駄なスペースがなくなり、棚板１０上の長手方向に整列される商品の整列数が多くなって、棚板１０への商品の陳列効率を向上できる。また、商品引き出し部材６０は商品仕切板２０の側面から突出しないため、商品陳列具の意匠的効果も向上できる。また、棚板１０の前端に設けた結合手段３０１と、この結合手段３０１に摺動可能な係合部３０２及びマグネット３０３からなる固定手段３０により、商品陳列具１を棚板１０に安定して固定することができ、従来の問題を解決できる。また、本実施の形態によれば、支持手段５０を介して商品仕切板２０に商品押圧体４０を移動可能に支持し、この商品押圧体４０に押し付け体４０２を斜め後方に傾斜して設け、さらに補助押圧手段７１を設けることにより、自立できない商品に対しても安定して前出しが可能になるとともに、商品に対する商品押圧体４０の押圧面積を増減でき、商品の形状や大きさに合わせて商品に対する商品押圧体の押圧面積を最適に設定できる。また、在庫調整具を所望の位置にセットすれば商品陳列具に陳列できる商品の数を簡単に調節でき在庫管理が容易である。
【００２７】
以上、本発明の実施の形態を説明したが、具体的な構成はこれに限定されず、本発明の要旨を変更しない範囲での変更及び追加は本発明の範囲である。
【００２８】
【発明の効果】
以上説明したように本発明の商品陳列具によれば、商品に対する商品押圧体の押圧面積や受圧力を陳列される商品の形状や大きさに応じて変更できるから、陳列台に整列される商品の形状や大きさが変わっても、これに合わせて商品に対する商品押圧体の押圧面積や受圧力を変更することができる。これに伴い内容物が破損され易い商品であっても、内容物が破損されることがなく、商品を安全に前出しすることができるほか、単一の商品陳列具を形状や大きさの異なる種類の商品に兼用することがで、かつ少ない種類の商品陳列具で済むため、商品の陳列コストを大幅に低減することができ、商品陳列具の保管管理も容易にできるという効果を有する。
また、本発明においては、商品仕切板の側面に形成した案内溝に商品引き出し部材を商品仕切板の前端から摺動可能に係合し、この商品引き出し部材を手前に引き出すことにより商品押圧体を含む整列商品を棚板の前端側に移動させることができから、商品前出し機構を含む商品仕切板の薄型化が可能なる。また、在庫調整具を所望の位置にセットすれば商品陳列具に陳列できる商品の数を簡単に調節でき在庫管理が容易である。
【図面の簡単な説明】
【図１】本発明の実施の形態における商品陳列具の補助押圧手段を主押圧部材に嵌める状態を示す斜視図である。
【図２】図１で補助押圧手段が主押圧部材にほとんど嵌め込まれた状態を示す斜視図である。
【図３】本発明の実施の形態における商品陳列具の斜視図である。
【図４】図１のＡ−Ａ線に沿った図である。
【図５】図１の斜め後方から見た主に商品押圧手段の斜視図である。
【図６】図５の他の形態の斜視図である。
【図７】図６で補助押圧手段が主押圧部材に嵌め込まれた状態を示す斜視図である。
【図８】主押圧部材の裏面図である。
【図９】主押圧部材の一部が断面の右側面図である。
【図１０】補助主押圧部材の裏面図である。
【図１１】図１２のＢ−Ｂ線に沿った図である。
【図１２】副押圧部材の裏面図である。
【図１３】副押圧部材の右側面図である。
【図１４】在庫調整具の斜視図を示す。
【図１５】在庫調整具の背面図を示す。
【図１６】在庫調整具の平面図を示す。
【図１７】商品陳列棚に設置された本発明の実施の形態における商品陳列具の斜視図を示す。
【符号の説明】
１      商品陳列具
１０      商品陳列棚
２０      商品陳列具本体
２０ａ    商品仕切板
４０      商品押圧手段
５０      支持手段
６０      商品引き出し部材
７１      補助押圧手段
７２      副押圧部材
７３      補助主押圧部材
４０１      基部
４０２      主押圧部材
５０１      ガイドロッド
７２１      係合溝
４０４、７３３、７２５安定化リブ
７００  在庫調整具
【図１】
0004189978.tif 000002
【図２】
0004189978.tif 000003
【図３】
0004189978.tif 000004
【図４】
0004189978.tif 000005
【図５】
0004189978.tif 000006
【図６】
0004189978.tif 000007
【図７】
0004189978.tif 000008
【図８】
0004189978.tif 000009
【図９】
0004189978.tif 000010
【図１０】
0004189978.tif 000011
【図１１】
0004189978.tif 000012
【図１２】
0004189978.tif 000013
【図１３】
0004189978.tif 000014
【図１４】
0004189978.tif 000015
【図１５】
0004189978.tif 000016
【図１６】
0004189978.tif 000017
【図１７】
0004189978.tif 000018